(57)【要約】【課題】本発明の第１の目的は、コインホッパのコイン保留量を増加することである。本発明の第２の目的は、コインホッパの設置スペースを増加することなくコイン保留量を増加することである。本発明の第３の目的は、コインホッパのコイン保留量の増加を簡単な装置で安価に達成することである。本発明の第４の目的は、従来のコインホッパを改造してコイン保留量を増加することである。【解決手段】コインをバルク状態で保留するための壁部を有する保留ボウル、前記保留ボウルの下部に配置され、かつ、コインを送り出す回転ディスク、前記保留ボウルの壁部の一部を構成し、かつ、載置されたコインが前記回転ディスク側へ滑り落ちない保留位置と前記回転ディスク側へ滑り落ちる供給位置に前記回転ディスク上のコイン量に基づいて選択的に移動可能な移動壁部、を有するコインホッパである。【選択図】        図２
2004258917.tif 000002
【特許請求の範囲】
【請求項１】
コイン（３６）をバルク状態で保留するための壁部（５２、５４）を有する保留ボウル（２０）、前記保留ボウル（２０）の下部に配置され、かつ、コイン（３６）を送り出す回転ディスク（１６）、前記保留ボウル（２０）の壁部の一部を構成し、かつ、載置されたコイン（３６）が前記回転ディスク（１６）側へ滑り落ちない保留位置（７４）と前記回転ディスク（１６）側へ滑り落ちる供給位置（７６）に前記回転ディスク（１６）上のコイン量に基づいて選択的に移動可能な移動壁部（６０、１２０、１２２、１２４、１２６、１４０）、を有するコインホッパ。
【請求項２】
前記移動壁部（６０、１２０、１２２、１２４、１２６、１４０）が前記回転ディスク（１６）の周囲に複数箇所配置されている請求項１に請求したコインホッパ。
【請求項３】
前記移動壁部（６０、１２０、１２２、１２４、１２６、１４０）がバケットの一部である請求項１または２に請求したコインホッパ。
【請求項４】
コイン（３６）をバルク状態で保留するため回転ディスク（１６）に向かって下方に傾斜する壁部（５４）を有する保留ボウル（２０）、前記保留ボウル（２０）の下部に配置され、かつ、コイン（３６）を送り出す前記回転ディスク（１６）、前記保留ボウル（２０）の壁部の一部を構成し、かつ、載置されたコインが前記回転ディスク（１６）側へ滑り落ちない保留位置（７４）と前記回転ディスク（１６）側へ滑り落ちる供給位置（７６）に選択的に移動可能な移動壁部（６０、１２０、１２２、１２４、１２６、１４０）、前記回転ディスク（１６）上のコイン（３６）が所定量になったことを検知し、補給信号（８６）を出力するコイン量検知装置（８０）、前記補給信号（８６）を受けて前記移動壁部（６０）を前記保留位置（７４）から前記供給位置（７６）に移動させるアクチュエータ（７０、１３０、１４２、１４６）、を有するコインホッパ。
【請求項５】
前記回転ディスク（１６）が電気モータ（１８）の正回転により駆動されて前記コイン（３６）を払出し、前記電気モータ（１８）の逆回転により前記アクチュエータ（７０）が駆動されて前記保留位置（７４）から前記供給位置（７６）に移動される請求項４に請求したコインホッパ。
【発明の詳細な説明】
【０００１】
【発明が属する技術分野】
本発明は、自動販売機、両替機及びゲーム機等に使用される、コインを１個ずつ区分けして払い出すコインホッパに関する。
さらに詳しくは、限られたスペースにおいて可及的にコイン保留量を増加することが出来るコインホッパに関する。
なお、本明細書で使用する「コイン」は、通貨であるコインの他、ゲーム機のメダルやトークン等の代用貨幣または類似のものを包含する。
【０００２】
【従来の技術】
コインホッパは、両替機、自動販売機やゲーム機に内蔵され、メイン制御装置の指示に基づいて所定数のコインを払い出すものである。
したがって、コインホッパは前記機器内の所定のスペースに納められている。
従来のコインホッパとして、コインをバラ積み状態で保留する保留ボウルの下部に回転ディスクを傾斜配置し、前記回転ディスクの回転によってコインを一枚ずつ区分けして払い出すものが知られている（実開平６−４３７６７号参照）。
【０００３】
一方、所定のスペース内で保留するコインを可及的に増やすため、傾斜配置した回転ディスクに相対配置した保留ボウルの下方に保留部を形成し、コインをこの保留部に保留すると共に、回転ディスク上のコインが減少した場合、この保留部に配置した揚送装置によって前記保留ボウルへコインを補給するものが知られている（特開２００２−１１７４２８号参照）。
【０００４】
【発明が解決しようとする課題】
前者の場合、保留ボウルの保留コインを増加する場合、通常の供給ホッパの上に増量ホッパが積み重ねられる。
すなわち、増量ホッパによりコインホッパ全体の高さが増加する。
したがって、コインホッパの設置スペースが増加するという不都合がある。
【０００５】
後者にあっては、保留ボウルの下方の所謂デッドスペースに新たにコインを保留するため、同一スペースの場合、コイン保留量を増量することができる。
しかし、保留ボウルの下方に保留されたコインを保留ボウルに供給するための揚送装置を設置せねばならず高価になると共に、既存品を改造する場合、大がかりな改造が必要であり、俄に採用しがたい。
【０００６】
本発明の第１の目的は、コインホッパのコイン保留量を増加することである。
本発明の第２の目的は、コインホッパの設置スペースを増加することなくコイン保留量を増加することである。
本発明の第３の目的は、コインホッパのコイン保留量の増加を簡単な装置で安価に達成することである。
本発明の第４の目的は、従来のコインホッパを改造してコイン保留量を増加することである。
【０００７】
【課題を解決するための手段】
この目的を達成するため、本発明のディスクホッパは、以下のように構成されている。
コインをバルク状態で保留するための壁部を有する保留ボウル、前記保留ボウルの下部に配置され、かつ、コインを送り出す回転ディスク、前記保留ボウルの壁部の一部を構成し、かつ、載置されたコインが前記回転ディスク側へ滑り落ちない保留位置と前記回転ディスク側へ滑り落ちる供給位置に前記回転ディスク上のコイン量に基づいて選択的に移動可能な移動壁部、を有するコインホッパである。
【０００８】
この構成において、保留ボウルは、少なくとも一部が移動壁部によって構成される。
保留ボウル内にコインが所定量以上ある場合、移動壁部は保留位置に保持される。
保留位置において、移動壁部はその上に位置するコインが回転ディスク側へ滑り落ちない状態に保持されている。
すなわち、移動壁部は、回転ディスク側に向かって下方に傾斜する小さい角度から逆方向へ傾斜する範囲の角度を有している。
【０００９】
このため、保留ボウル内の容積はその分増加し、結果としてディスクの収納量が増加する。
そして、回転ディスク上のコインの量が減少して所定量になった場合、移動壁部は供給位置に移動され、その上に載っているコインが滑り落ちて回転ディスク上に供給され、その後払い出される。
したがって、選択的に移動する移動壁部という簡単な構造で保留ボウルの容量が増加できるという効果がある。
また、従来装置を改造する場合、変更になるのは、移動壁部を備えた保留ボウルであり、安価に改造することが出来る。
【００１０】
本発明は、前記移動壁部が前記回転ディスクの周囲に複数配置されていることが好ましい。
この構成によれば、回転ディスクの周囲に移動壁部が複数配置されているので、その移動壁部分コインの保留量、したがってコイン払出量が増加する。
【００１１】
本発明は、前記移動壁部がバケットの一部であることが好ましい。
この構成によれば、移動壁部がバケットの一部であるため、バケット内に保留されたコインは、バケットが持ち上がるとき固定壁部と接触しないので、コインの噛み込みが生じず、移動壁部上に保留したコインをスムーズに回転ディスク上に供給できる。
【００１２】
本発明は、コインをバルク状態で保留するため回転ディスクに向かって下方に傾斜する壁部を有する保留ボウル、前記保留ボウルの下部に配置され、かつ、コインを送り出す回転ディスク、前記保留ボウルの前記傾斜壁部の一部を構成し、かつ、載置されたコインが前記回転ディスク側へ滑り落ちない保留位置と前記回転ディスク側へ滑り落ちる供給位置に選択的に移動可能な移動壁部、前記回転ディスク上のコインが所定量になったことを検知し、補給信号を出力するコイン量検知装置、前記補給信号を受けて前記移動壁部を前記保留位置から前記供給位置に移動させるアクチュエータ、を有するコインホッパである。
【００１３】
この構成において、保留ボウルは、載置されたコインが回転ディスク側へ向かって滑り落ちる傾斜を有する固定の壁部と、その一部をなす移動壁部によって構成される。
保留ボウル内にコインが所定量以上あるとき、移動壁部は保留位置に保持される。
保留位置において、移動壁部はその上に位置しているコインが回転ディスク側へ滑り落ちない状態に保持されている。
【００１４】
すなわち、移動壁部は、回転ディスク側に向かって下方に傾斜する角度が小さいか、または逆角度をもっている。
このため、保留ボウル内の容積はその分増加し、結果としてコインの収納量が増加する。
この部位は、従来活用されていなかった固定壁の下方に位置する、所謂デッドスペースであり、大型化を招くことはない。
【００１５】
そして、コイン量検知装置によって検知された回転ディスク上のコインが所定量になったとき、アクチュエータが作動されて移動壁部が供給位置に移動され、その移動壁部上に位置していたコインが回転ディスクへ向かって滑り落ちる。
そのため、その滑り落ちたコインが回転ディスクによって払い出され、払出量も増加する。
【００１６】
本発明は、前記回転ディスクが電気モータによりの正回転により駆動されて前記コインを払出し、前記電気モータの逆回転により前記アクチュエータが駆動されて前記保留位置から前記供給位置に移動されることが好ましい。
【００１７】
この構成によれば、電気モータの正転により回転ディスクを回転させてコインを払い出し、電気モータの逆転によりアクチュエータを駆動して移動壁部を移動させ、その上に載っているコインを回転ディスク上に供給する。
したがって、１つの電気モータによって回転ディスクと移動壁部とを駆動することができるので、安価に構成できる。
【００１８】
【発明の実施の形態】
図１は、本発明の第１実施例のコインホッパの斜視図である。
図２は、本発明の第１実施例の図１におけるＡ面断面図である。
図３は、本発明の第１実施例のバケットの斜視図である。
図４は、本発明の第１実施例のアクチュエータの制御ブロック図である。
図５は、本発明の第２実施例の駆動系統図である。
図６は、本発明の第３実施例の平面図である。
図７は、図６におけるＢ―Ｂ断面図である。
図８は、本発明の第４実施例の説明図である。
図９は、本発明の第５実施例の説明図である。
【００１９】
コインホッパ１０は、主にフレーム１２、ベース１４、回転ディスク１６、回転ディスク１６を回転する電気モータ１８及び保留ボウル２０を含んでいる。
フレーム１２は箱型台形状であって、上面２２が水平線に対し約３０度傾斜している。
上面２２に矩形平板状のベースプレート２４が固定されている。
したがって、ベースプレート２４は約３０度傾斜している。
このベースプレート２４に保留ボウル２０の下端部が固定されている。
【００２０】
ベースプレート２４の中央に円形の装着穴２６が形成され、その底面２８はほぼ平面である。
その装着穴２６に、中央に円錐形の突起３０を有し、突起３０の回りに等間隔に複数の通孔３２を有する回転ディスク１６が配置されている。
【００２１】
通孔３２の上部（回転ディスク１６の上面）は、通孔３２の周囲にすり鉢形のテーパー部に形成され、円板形のコイン３６が通孔３２に落下し易いように構成されている。図２に示すように、回転ディスク１６の突起３０の軸孔３８に減速機４０の出力軸４２を挿入し、その出力軸４２と回転ディスク１６との間に配置した摩擦伝達装置（図示せず）を介して駆動接続してある。
【００２２】
減速機４０はベースプレート２４の裏面に固定手段（図示せず）によって固定されている。
電気モータ１８が減速機４０に固定されている。
モータ１８の回転は、減速機４０、出力軸４２及び摩擦伝達装置を介して回転ディスク１６に伝達される。
【００２３】
次に保留ボウル２０を説明する。
保留ボウル２０は筒状であって、上部４４が矩形であって上端面は上方に向かって水平位置で開口している投入口４６を有している。
下部４８の出口５０は、円錐形に形成され、前記ベースプレート２４に倣って傾斜している。
【００２４】
保留ボウル２０は、その下端面をベースプレート２４の上面にあてがって固定されている。
この状態で出口５０は、回転ディスク１６の直ぐ上方に位置している。
回転ディスク１６は、保留ボウル２０の下部４８の出口５０内に配置してもよい。
したがって、保留ボウル２０の下部に配置した回転ディスク１６とは、出口５０及びその下方に隣接配置したケースを含むものである。
【００２５】
保留ボウル２０は、投入口４６から下方へ向かってほぼ垂直に延びる垂直壁部５２と、その垂直壁部５２から下部４８の円形の出口５０、したがって、回転ディスク１６に向かって斜め下方に延びる中間壁部５４を有する。
中間壁部５４は、保留ボウル２０内のコイン３６が回転ディスク１６上に自動的に供給されるよう、その上に載ったコイン３６が自然落下する傾斜を有している。
また、垂直壁５２、中間壁部５４は、保留ボウル２０がベースプレート２４に取り付けられた状態では移動しないので、固定壁部である。
【００２６】
次に本発明に係る移動壁部６０を説明する。
移動壁部６０は、回転ディスク１６周囲の固定壁部である、中間壁部５４に配置されている。
図３に示すように、移動壁部６０は、バケット６２の一部である。
バケット６２は、底壁６４、底壁６４の両サイドに配置した扇状の側壁６６、６８及び側壁６６と６８との間に配置した周壁７０とを有している。
この底壁６４が移動壁部６０を構成する。
【００２７】
バケット６２は扇状側壁６６、６８の基部に配置した軸７２が、回転ディスク１６の傾き方向の下方に位置する中間壁部５４においてピボット運動可能に支持されている。すなわち、中間壁部５４の一部が矩形に開口された装着孔７４に前記バケット６２がピボット運動可能に密に挿入されている。
したがって、周壁７０は、軸７２を中心とする円弧をなすよう形成されている。
そして、このバケット６２は、後述のアクチュエータによって駆動され、図２において実線で示す保留位置７４と一点鎖線で示す供給位置７６とに選択的に移動される。
【００２８】
すなわち、保留位置７４において、移動壁部６０は、その上に載ったコイン３６が回転ディスク１６側へ滑り落ちない状態に保持される。
具体的には、図２に示すように水平線に対し回転ディスク１６側と反対側に傾斜した位置と回転ディスク１６側に傾斜していてもコイン３６が滑落しない範囲の間に設定される。
実施例のように水平線に対し回転ディスク１６と反対側に傾斜する場合、コインの保留量が多くなるので好ましい。
【００２９】
供給位置７６において、移動壁部６０は、回転ディスク１６側に向かって下向きに傾斜し、その上に載っているコイン３６が回転ディスク１６側に滑り落ちる角度になる。
移動壁部６０を傾斜する中間壁部５４に配置することにより、従来何らの装置も配置していなかった空間をコインを保留するために用いるので、デッドスペースを有効利用することができる。
したがって、コイン３６は、保留ボウル２０の中間壁部５４に案内されて回転ディスク１６上に落下した後、払い出される。
【００３０】
次に図２を参照して移動壁部６０を移動するアクチュエータ７０を説明する。
この実施例において、アクチュエータ７０は、スクリュウジャッキ７１である。
ベース１４の上面に固定された支軸７５にウオームギヤとウオームホイールを内蔵した静止部７２がピボット可能に支持されている。
この静止部７２には、前記ウオームギヤを回転駆動する減速機付電気モータ７３が固定されている。
【００３１】
静止部７２には、前記ウオームホイールの回転方向に基づいて静止部７２に対し出入りし、スクリュージャッキ７１の全長を伸縮する移動部７７が挿入されている。
移動部７７の先端は、移動壁部６０に固定された支軸７９にピボット運動可能に支持されている。
したがって、スクリュウジャッキ７１が最も縮んだ場合、移動壁部６０は保留位置７４に位置し、スクリュウジャッキ７１が最も伸びた場合、移動壁部６０は、供給位置７６に位置する。
【００３２】
アクチュエータ７０は、エアシリンダ、オイルシリンダ、リニアモータ等、移動壁部６０を保留位置７４と供給位置７６とに選択的に位置させる機能を有するものであれば用いることができる。
アクチュエータ７０は、保留ボウル２０内のコイン量が所定量になった場合作動される。
換言すれば、回転ディスク１６上のコイン３６がコイン量検知装置８０で検知されなくなった場合、作動される。
【００３３】
次にコイン量検知装置８０を説明する。
保留ボウル２０の出口５０のすぐ上の中間壁面５４に間隔を空けて埋め込まれた第１電極８２と第２電極８４とによりコイン量検知装置８０が構成されている。
回転ディスク１６上のコイン量が少なくなった場合、コイン３６を介して第１電極８２と第２電極８４との間に電流が流れなくなるので、これを検知してコイン補給信号８６を補給指示回路８８が出力する。
【００３４】
補給指示回路８８は電源９０と電気モータ７３との間に配置したスイッチング回路９２を開閉する。
スイッチング回路９２は、コイン補給信号８６を受信した場合、電源９０と電気モータ７３とを接続する。
これにより、電気モータ７３は正転し、スクリュウジャッキ７１が伸長して移動壁部６０を供給位置７６に移動させる。
【００３５】
移動壁部６０が供給位置７６に移動した場合、図示しないセンサに検知され、スイッチング回路９２がオフになって電気モータ７３は停止する。
コイン量検知装置８０は、光軸がコインによって遮られることによってコイン量が所定量あることを検知する光電式センサや他のタイプを用いることができる。また、作動に先立って手動スイッチ９４によって電気モータ７３が逆転され、スクリュウジャッキ７１が縮長されて移動壁部６０が保留位置７４に戻される。
【００３６】
移動壁部６０が保留位置７４に戻った場合、図示しないセンサがこれを検知し、スイッチング回路９２がオフになって電気モータ７３は停止する。
手動スイッチ９４に替えて第２のコイン量検知センサを配置し、回転ディスク１６上のコインが所定量以下になった場合、電気モータ７３を逆転させて移動壁部６０を自動的に保留位置７４に戻すようにしてもよい。
【００３７】
次に本第１実施例の作用を説明する。
はじめに、手動スイッチ９４が押されて移動壁部６０が保留位置７４に保持される。
次いでコイン３６が保留ボウル２０に投入口４６から供給され、満杯にされる。
これにより、コイン３６はバケット６２の増量空間９６にも入り込んで保留される。
【００３８】
ゲームによる当選に連動する回転ディスク１６の回転により、所定数のコイン３６が一枚ずつ投出口９８から投出される。
保留ボウル２０内のコイン３６が所定量以上ある場合、すなわち、第１電極８２と第２電極８４との間にコイン３６を介して電流が流れている場合、補給指示回路８８は指示信号を出力しない。
よって、移動壁部６０は、保留位置７４に保持される。
【００３９】
コイン３６が減少して第１電極８２と第２電極８４間に電流が流れない場合、補給指示回路８８は補給信号８６を出力する。
この補給信号８６によってスイッチング回路９２がオンになり、電気モータ７３が正転される。
そのため、スクリュウジャッキ７１が伸長して移動壁部６０が供給位置７６に移動される。
このとき、増量空間９６内のコイン３６は固定壁部と接触しないので、固定壁部との間に噛み込まれてバケット６２の移動を阻止することが無い。
【００４０】
これにより、増量空間９６に保留されていたコイン３６が移動壁部６０上を滑り落ちて回転ディスク１６上に供給され、回転ディスク１６によって払い出される。
したがって、移動壁部６０上のコイン３６が従来の払い出し量に加えて払い出されるので、その分コイン３６の補給作業の必要がないというメリットがある。
また、従来のコインホッパを改造する場合、保留ボウルを本発明の移動壁部６０を有する保留ボウル２０に交換し、アクチュエータ７０と制御回路を追加すればよいので簡単に改造でき、コストも安価である。
【００４１】
次に、図５に示す第２実施例を説明する。
第２実施例は、スクリュウジャッキ７１の電気モータ７３を使用せず、コインホッパの電気モータ１８でスクリュウジャッキ７１の伸長運動を行うようにしたものである。
【００４２】
電気モータ１８の出力軸と第２減速機１００との間の伝達経路にワンウエイクラッチ１０２を配置し、第２減速機１００とスクリュウジャッキ７１のウオームギヤとを接続したものである。
このワンウエイクラッチ１０２は、電気モータ１８の出力軸が正転している場合、第２減速機１００に動力を伝達せず、電気モータ１８が逆転した場合、第２減速機１００を介してスクリュウジャッキ７１のウオームギヤを駆動する。
【００４３】
したがって、コイン量検知装置８０がコインで導通しなくなった場合、回転ディスク１６の電気モータ１８が停止された後、逆転される。
この逆転により、ワンウエイクラッチ１０２及び第２減速機１００を介してスクリュウジャッキ７１が駆動され、伸長して移動壁部６０を供給位置７６に移動する。
この場合、使用に先立ち、ワンウエイクラッチ１０２を介さずに電気モータ１８でスクリュージャッキ７１を駆動して移動壁部６０を保留位置７４に戻す必要がある。
また、移動壁部６０の移動中にコインの払出信号を受けた場合、その払出信号を保留しておき、移動終了後に払い出す。
【００４４】
次に図６、７に示す第３実施例を説明する。
第３実施例は、回転ディスク１６が水平に配置され、その周囲の４ヶ所に移動壁部１２０、１２２、１２４、１２６が配置されている。
図７に示すように、移動壁部１２０、１２２、１２４、１２６は、第１実施例と同様にバケット１２８が用いられ、夫々アクチュエータ１３０によって保留位置と供給位置に移動される。
作動は、第１の実施例と同様である。
上記第１及び第３実施例において、移動壁部は傾斜している中間壁部５４に配置したが、垂直壁部５２に配置してもよい。
【００４５】
次に図８に示す第４実施例を説明する。
この実施例は、移動壁部１４０が凹状に湾曲し、供給位置においては、想像線で示すように直線状になるものである。
この場合、移動壁部１４０は弾性体で形成され、回転ディスク１６の周囲全体に配置してもよい。
また、アクチュエータ１４２は、ドーナツ状の弾性チューブに圧縮空気を供給して膨らませ、移動壁部１４０を供給位置に移動するのがよい。
【００４６】
次に図９に示す第５実施例を説明する。
この実施例は、第３実施例のアクチュエータ１３０を、コイルスプリング１４４を内蔵したアクチュエータ１４６に変更した例である。
アクチュエータ１４６は、シリンダ１４８の内部をスプリング１４４のスプリング力に基づいて摺動可能なスライダ１５０にロッド１５２が取り付けられ、そのロッド１５２によってバケット１２８を押し上げて移動壁部１２０、１２２、１２４、１２６を保留位置７４から供給位置７６に移動させるものである。
【００４７】
移動壁部１２０、１２２、１２４、１２６は、その上に載っているコイン３６の重量に基づいて保留位置７４と供給位置７６に位置することができる。
すなわち、保留ボウル２０を満杯にした場合、移動壁部１２０、１２２、１２４、１２６に多数のコイン３６が載っている場合、それらの重量によってバケット１２８が下方に回動して実線で示す保留位置７４になる。
【００４８】
保留ボウル２０内のコイン３６が消費され、バケット１２８内のコイン３６がほぼその容量のみになった場合、スプリング１４４のスプリング力がそれらの重量に勝ってバケット１２８が上方にピボット運動され、結果として移動壁部１２０、１２２、１２４、１２６が供給位置７６に移動してバケット１２８内のコイン３６が回転ディスク１６上に供給される。
【００４９】
なお、スプリング１４４のみによって移動壁部１２０、１２２、１２４、１２６を移動させる場合、急激に移動してコイン３６が保留ボウル２０外へ投げ出されることが懸念されるので、ロッド１５２にダンパを作用させることにより、移動壁部１２０、１２２、１２４、１２６の移動を緩速度にすることが好ましい。
【００５０】
【図面の簡単な説明】
【図１】図１は、本発明の第１実施例のコインホッパの斜視図である。
【図２】図２は、本発明の第１実施例の図１におけるＡ面断面図である。
【図３】図３は、本発明の第１実施例のバケットの斜視図である。
【図４】図４は、本発明の第１実施例のアクチュエータの制御ブロック図である。
【図５】図５は、本発明の第２実施例の駆動系統図である。
【図６】図６は、本発明の第３実施例の平面図である。
【図７】図７は、本発明の第３実施例の図６におけるＢ―Ｂ断面図である。
【図８】図８は、本発明の第４実施例の説明図である。
【図９】図９は、本発明の第５実施例の説明図である。
【符号の説明】
１６      回転ディスク
２０      保留ボウル
３６      コイン
５２、５４  壁部
６０、１２０、１２２、１２４、１２６、１４０      移動壁部
７０、１３０、１４２、１４６      アクチュエータ
７４      保留位置
７６      供給位置
８０      コイン量検知装置
８６      補給信号
【図１】
2004258917.tif 000003
【図２】
2004258917.tif 000004
【図３】
2004258917.tif 000005
【図４】
2004258917.tif 000006
【図５】
2004258917.tif 000007
【図６】
2004258917.tif 000008
【図７】
2004258917.tif 000009
【図８】
2004258917.tif 000010
【図９】
2004258917.tif 000011